(57)【特許請求の範囲】
【請求項１】
チャネル状態情報（ＣＳＩ）を報告する無線通信方法であって、
１つまたは複数の長期ＣＳＩ要素を基地局装置に報告するステップであって、少なくとも１つの長期ＣＳＩ要素が複数の値によって報告される、前記ステップと、
短期ＣＳＩ要素のセットと一緒に送信方式想定インジケータ（ＴＳＡＩ）を前記基地局装置に報告するステップであって、前記ＴＳＡＩが、前記少なくとも１つの長期ＣＳＩ要素の前記複数の値のうち現在使用される値と、前記ＴＳＡＩによって示される前記値によって決まる前記短期ＣＳＩ要素のセットとを、前記基地局装置に示す、前記ステップと、
を含んでおり、
前記短期ＣＳＩ要素がより高い頻度で報告される、
無線通信方法。
【請求項２】
前記短期ＣＳＩ要素および前記ＴＳＡＩが１つのサブフレーム内で一緒に符号化されて報告される、
請求項１に記載の無線通信方法。
【請求項３】
前記短期ＣＳＩ要素が報告されるとき、１つのサブフレーム内でゼロパディングが使用される、
請求項２に記載の無線通信方法。
【請求項４】
前記短期ＣＳＩ要素と一緒に前記ＴＳＡＩが報告されるとき、最初の（１つまたは複数の）ビットを使用して前記ＴＳＡＩが報告される、
請求項３に記載の無線通信方法。
【請求項５】
前記少なくとも１つの長期ＣＳＩ要素の前記複数の値すべてが同じサブフレーム内で符号化されて報告される、
請求項１に記載の無線通信方法。
【請求項６】
前記少なくとも１つの長期ＣＳＩ要素の前記複数の値が異なるサブフレーム内で符号化されて報告される、
請求項１に記載の無線通信方法。
【請求項７】
前記ＴＳＡＩの値の数が前記少なくとも１つの長期ＣＳＩ要素の前記複数の値の数より大きいとき、前記ＴＳＡＩの複数の値が、前記少なくとも１つの長期ＣＳＩ要素の１つの値に対応するようにグループ分けされる、
請求項１に記載の無線通信方法。
【請求項８】
前記少なくとも１つの長期ＣＳＩ要素がランクインジケータ（ＲＩ）を含んでおり、前記短期ＣＳＩ要素がプリコーディング行列インジケータ（ＰＭＩ）もしくはチャネル品質インジケータ（ＣＱＩ）またはその両方を含んでいる、
請求項１から請求項７のいずれかに記載の無線通信方法。
【請求項９】
前記１つまたは複数の長期ＣＳＩ要素がプリコーディングタイプインジケータ（ＰＴＩ）を含んでおり、前記少なくとも１つの長期ＣＳＩ要素がランクインジケータ（ＲＩ）を含んでおり、
前記ＰＴＩが０に等しい場合、前記少なくとも１つの長期ＣＳＩ要素が第１のＰＭＩ（Ｗ１）をさらに含んでおり、前記短期ＣＳＩ要素がワイドバンドの第２のＰＭＩ（Ｗ−Ｗ２）およびワイドバンドＣＱＩ（Ｗ−ＣＱＩ）を含んでおり、
前記ＰＴＩが１に等しい場合、前記少なくとも１つの長期ＣＳＩ要素がＷ−ＣＱＩおよびＷ−Ｗ２をさらに含んでおり、前記短期ＣＳＩ要素がサブバンドの第２のＰＭＩ（Ｓ−Ｗ２）およびサブバンドＣＱＩ（Ｓ−ＣＱＩ）を含んでおり、
前記ＲＩが前記ＰＴＩと一緒に符号化される、
請求項１から請求項７のいずれかに記載の無線通信方法。
【請求項１０】
前記１つまたは複数の長期ＣＳＩ要素がランクインジケータ（ＲＩ）およびプリコーディングタイプインジケータ（ＰＴＩ）を含んでおり、ただし前記ＲＩおよび前記ＰＴＩがそれぞれ１つのみの値によって報告され、
前記ＰＴＩが０に等しい場合、前記少なくとも１つの長期ＣＳＩ要素が第１のＰＭＩ（Ｗ１）を含んでおり、前記短期ＣＳＩ要素がワイドバンドの第２のＰＭＩ（Ｗ−Ｗ２）およびワイドバンドＣＱＩ（Ｗ−ＣＱＩ）を含んでおり、
前記ＰＴＩが１に等しい場合、前記少なくとも１つの長期ＣＳＩ要素がＷ−ＣＱＩおよびＷ−Ｗ２を含んでおり、前記短期ＣＳＩ要素がサブバンドの第２のＰＭＩ（Ｓ−Ｗ２）およびサブバンドＣＱＩ（Ｓ−ＣＱＩ）を含んでおり、
前記ＲＩが前記ＰＴＩと一緒に符号化される、
請求項１、請求項２、請求項４、請求項５、請求項６、請求項７のいずれかに記載の無線通信方法。
【請求項１１】
前記１つまたは複数の長期ＣＳＩ要素がポイントインジケータ（ＰＩ）をさらに含んでおり、前記ＰＩが前記ＲＩより少ない頻度で報告される、
請求項８に記載の無線通信方法。
【請求項１２】
前記少なくとも１つの長期ＣＳＩ要素がランクインジケータ（ＲＩ）および第１のＰＭＩ（Ｗ１）を含んでおり、前記短期ＣＳＩ要素が第２のＰＭＩ（Ｗ２）およびチャネル品質インジケータ（ＣＱＩ）を含んでいる、
請求項１から請求項７のいずれかに記載の無線通信方法。
【請求項１３】
前記ＲＩがＷ１と一緒に、または個別に符号化される、
請求項１２に記載の無線通信方法。
【請求項１４】
前記１つまたは複数の長期ＣＳＩ要素がランクインジケータ（ＲＩ）を含んでおり、ただし前記ＲＩが１つのみの値によって報告され、
前記少なくとも１つの長期ＣＳＩ要素が第１のＰＭＩ（Ｗ１）を含んでおり、
前記短期ＣＳＩ要素が第２のＰＭＩ（Ｗ２）およびチャネル品質インジケータ（ＣＱＩ）を含んでいる、
請求項１、請求項２、請求項４、請求項５、請求項６、請求項７のいずれかに記載の無線通信方法。
【請求項１５】
チャネル状態情報（ＣＳＩ）を報告するユーザ機器（ＵＥ）であって、
１つまたは複数の長期ＣＳＩ要素を基地局装置に報告するように構成されている長期ＣＳＩ報告ユニットであって、少なくとも１つの長期ＣＳＩ要素が複数の値によって報告される、前記長期ＣＳＩ報告ユニットと、
短期ＣＳＩ要素のセットと一緒に送信方式想定インジケータ（ＴＳＡＩ）を前記基地局装置に報告するように構成されている短期ＣＳＩ報告ユニットであって、前記ＴＳＡＩが、前記少なくとも１つの長期ＣＳＩ要素の前記複数の値のうち現在使用される値と、前記ＴＳＡＩによって示される前記値によって決まる前記短期ＣＳＩ要素のセットとを、前記基地局装置に示す、前記短期ＣＳＩ報告ユニットと、
を備えており、
前記短期ＣＳＩ要素がより高い頻度で報告される、
ユーザ機器。
【請求項１６】
前記短期ＣＳＩ要素および前記ＴＳＡＩが１つのサブフレーム内で一緒に符号化されて報告される、
請求項１５に記載のユーザ機器。
【請求項１７】
前記短期ＣＳＩ要素が報告されるとき、１つのサブフレーム内でゼロパディングが使用される、
請求項１６に記載のユーザ機器。
【請求項１８】
前記短期ＣＳＩ要素と一緒に前記ＴＳＡＩが報告されるとき、最初の（１つまたは複数の）ビットを使用して前記ＴＳＡＩが報告される、
請求項１７に記載のユーザ機器。
【請求項１９】
前記少なくとも１つの長期ＣＳＩ要素の前記複数の値すべてが同じサブフレーム内で符号化されて報告される、
請求項１５に記載のユーザ機器。
【請求項２０】
前記少なくとも１つの長期ＣＳＩ要素の前記複数の値が異なるサブフレーム内で符号化されて報告される、
請求項１５に記載のユーザ機器。
【請求項２１】
前記ＴＳＡＩの値の数が前記少なくとも１つの長期ＣＳＩ要素の前記複数の値の数より大きいとき、前記ＴＳＡＩの複数の値が、前記少なくとも１つの長期ＣＳＩ要素の１つの値に対応するようにグループ分けされる、
請求項１５に記載のユーザ機器。
【請求項２２】
前記少なくとも１つの長期ＣＳＩ要素がランクインジケータ（ＲＩ）を含んでおり、前記短期ＣＳＩ要素がプリコーディング行列インジケータ（ＰＭＩ）もしくはチャネル品質インジケータ（ＣＱＩ）またはその両方を含んでいる、
請求項１５から請求項２１のいずれかに記載のユーザ機器。
【請求項２３】
前記１つまたは複数の長期ＣＳＩ要素がプリコーディングタイプインジケータ（ＰＴＩ）を含んでおり、前記少なくとも１つの長期ＣＳＩ要素がランクインジケータ（ＲＩ）を含んでおり、
前記ＰＴＩが０に等しい場合、前記少なくとも１つの長期ＣＳＩ要素が第１のＰＭＩ（Ｗ１）をさらに含んでおり、前記短期ＣＳＩ要素がワイドバンドの第２のＰＭＩ（Ｗ−Ｗ２）およびワイドバンドＣＱＩ（Ｗ−ＣＱＩ）を含んでおり、
前記ＰＴＩが１に等しい場合、前記少なくとも１つの長期ＣＳＩ要素がＷ−ＣＱＩおよびＷ−Ｗ２をさらに含んでおり、前記短期ＣＳＩ要素がサブバンドの第２のＰＭＩ（Ｓ−Ｗ２）およびサブバンドＣＱＩ（Ｓ−ＣＱＩ）を含んでおり、
前記ＲＩが前記ＰＴＩと一緒に符号化される、
請求項１５から請求項２１のいずれかに記載のユーザ機器。
【請求項２４】
前記１つまたは複数の長期ＣＳＩ要素がランクインジケータ（ＲＩ）およびプリコーディングタイプインジケータ（ＰＴＩ）を含んでおり、ただし前記ＲＩおよび前記ＰＴＩがそれぞれ１つのみの値によって報告され、
前記ＰＴＩが０に等しい場合、前記少なくとも１つの長期ＣＳＩ要素が第１のＰＭＩ（Ｗ１）を含んでおり、前記短期ＣＳＩ要素がワイドバンドの第２のＰＭＩ（Ｗ−Ｗ２）およびワイドバンドＣＱＩ（Ｗ−ＣＱＩ）を含んでおり、
前記ＰＴＩが１に等しい場合、前記少なくとも１つの長期ＣＳＩ要素がＷ−ＣＱＩおよびＷ−Ｗ２を含んでおり、前記短期ＣＳＩ要素がサブバンドの第２のＰＭＩ（Ｓ−Ｗ２）およびサブバンドＣＱＩ（Ｓ−ＣＱＩ）を含んでおり、
前記ＲＩが前記ＰＴＩと一緒に符号化される、
請求項１５、請求項１６、請求項１８、請求項１９、請求項２０、請求項２１のいずれかに記載のユーザ機器。
【請求項２５】
前記１つまたは複数の長期ＣＳＩ要素がポイントインジケータ（ＰＩ）をさらに含んでおり、前記ＰＩが前記ＲＩより少ない頻度で報告される、
請求項２４に記載のユーザ機器。
【請求項２６】
前記少なくとも１つの長期ＣＳＩ要素がランクインジケータ（ＲＩ）および第１のＰＭＩ（Ｗ１）を含んでおり、前記短期ＣＳＩ要素が第２のＰＭＩ（Ｗ２）およびチャネル品質インジケータ（ＣＱＩ）を含んでいる、
請求項１５から請求項２１のいずれかに記載のユーザ機器。
【請求項２７】
前記ＲＩがＷ１と一緒に、または個別に符号化される、
請求項２６に記載のユーザ機器。
【請求項２８】
前記１つまたは複数の長期ＣＳＩ要素がランクインジケータ（ＲＩ）を含んでおり、ただし前記ＲＩが１つのみの値によって報告され、
前記少なくとも１つの長期ＣＳＩ要素が第１のＰＭＩ（Ｗ１）を含んでおり、
前記短期ＣＳＩ要素が第２のＰＭＩ（Ｗ２）およびチャネル品質インジケータ（ＣＱＩ）を含んでいる、
請求項１５、請求項１６、請求項１８、請求項１９、請求項２０、請求項２１のいずれかに記載のユーザ機器。
【請求項２９】
チャネル状態情報（ＣＳＩ）を受信する無線通信方法であって、
１つまたは複数の長期ＣＳＩ要素を含んだサブフレームをユーザ機器（ＵＥ）から受信するステップであって、少なくとも１つの長期ＣＳＩ要素が複数の値を有する、前記ステップと、
短期ＣＳＩ要素のセットおよび送信方式想定インジケータ（ＴＳＡＩ）を含んだサブフレームを前記ユーザ機器から受信するステップであって、前記ＴＳＡＩが、前記少なくとも１つの長期ＣＳＩ要素の前記複数の値のうち現在使用される値と、前記ＴＳＡＩによって示される前記値によって決まる前記短期ＣＳＩ要素のセットとを示す、前記ステップと、
を含んでいる、無線通信方法。
【請求項３０】
チャネル状態情報（ＣＳＩ）を受信する基地局装置であって、
１つまたは複数の長期ＣＳＩ要素を含んだサブフレームをユーザ機器（ＵＥ）から受信するように構成されている長期ＣＳＩ受信ユニットであって、少なくとも１つの長期ＣＳＩ要素が複数の値を有する、前記長期ＣＳＩ受信ユニットと、
短期ＣＳＩ要素のセットおよび送信方式想定インジケータ（ＴＳＡＩ）を含んだサブフレームを前記ユーザ機器から受信するように構成されている短期ＣＳＩ受信ユニットであって、前記ＴＳＡＩが、前記少なくとも１つの長期ＣＳＩ要素の前記複数の値のうち現在使用される値と、前記ＴＳＡＩによって示される前記値によって決まる前記短期ＣＳＩ要素のセットとを示す、前記短期ＣＳＩ受信ユニットと、
を備えている、基地局装置。
【発明の詳細な説明】
【技術分野】
【０００１】
本開示は、無線通信におけるチャネル状態情報（ＣＳＩ）の報告の技術分野に関する。
【背景技術】
【０００２】
ＣＳＩの複数のセット（プリコーディング行列インジケータ（ＰＭＩ）、チャネル品質インジケータ（ＣＱＩ）、ランクインジケータ（ＲＩ）、さらにはプリコーディングタイプインジケータ（ＰＴＩ）、およびポイントインジケータ（ＰＩ）を含む）を報告することによって、基地局装置（ｅＮＢ）におけるスケジューリング上の柔軟性を高めることが可能であり、したがってセルラーシステムのパフォーマンスを向上させることができる（３ＧＰＰ（第３世代パートナーシッププロジェクト）の非特許文献１を参照）（この文書は参照によって本明細書に組み込まれている）。例えば、図１（ａ）および図１（ｂ）は、異種配備（heterogeneous deployment）においてＣＱＩを計算するうえでの２つの想定を概略的に示している。図１（ａ）および図１（ｂ）において、ユーザ機器（ＵＥ）１０３は、基地局装置（ｅＮＢ）１０２によってカバーされているセル内に位置しており、基地局装置１０２から物理下りリンク共有チャネル（ＰＤＳＣＨ）を受信する。基地局装置１０２によってカバーされているセルは、もう１つの基地局装置１０１によってカバーされているマクロセルと重なり合っている。ユーザ機器１０３がＣＳＩを基地局装置１０２に報告するとき、ＣＱＩの２つのセットを選択することができる。ＣＱＩの一方のセットは、マクロセルがミュートされていない。すなわち、図１（ａ）に示したように破線の矢印によって示されている基地局装置１０１からの干渉が存在するものと想定することによって計算され、ＣＱＩの他方のセットは、図１（ｂ）に示したようにマクロセルがミュートされているものと想定することによって計算される。従来、図２に示したように、半静的な構成として複数のＣＳＩを報告する方法が使用されている。図２は、複数のＣＳＩを報告する従来の方法を概略的に示しており、各ブロックが１つのサブフレームを表している。複数のＣＳＩを報告する従来の方法では、２セットのＣＳＩがいずれも周期的に報告され、２セットのうちの一方は、ＰＭＩ１、ＣＱＩ１、およびＲＩ１であり、例えば図１（ａ）に示したようにマクロセルがミュートされていないものと想定することによって計算され、２セットのうちの他方は、ＰＭＩ２、ＣＱＩ２、およびＲＩ２であり、例えば図１（ｂ）に示したようにマクロセルがミュートされているものと想定することによって計算される。ＲＩ１およびＲＩ２（本明細書では長期ＣＳＩ要素と称する）は、より少ない頻度で報告することができ、ＰＭＩ１、ＣＱＩ１、ＰＭＩ２、およびＣＱＩ２は、本明細書では短期ＣＳＩ要素と称する。例えば、ＲＩ１およびＲＩ２は、２００のサブフレーム毎に報告されるのに対して、ＰＭＩ１／ＣＱＩ１およびＰＭＩ２／ＣＱＩ２は、図２に示したように、それぞれ５つのサブフレーム毎に報告される。短期ＣＳＩ要素の両方のセットは高い頻度で周期的に報告されるため、複数のセットのＣＳＩを報告することによって、頻繁に報告される短期ＣＳＩ要素によって占有されるずっと多くのサブフレームが消費され、上りリンクにおけるオーバーヘッドが増大する。
【０００３】
オーバーヘッドを減少させる一方で、ＣＳＩの複数の異なるセット（例えば図１（ａ）および図１（ｂ）に示したように異種配備における異なる想定に基づいて計算されるセット）を依然として報告する目的で、１つの可能な方法は、ＣＳＩの複数の可能なセットから、報告するＣＳＩのセットをユーザ機器が動的に選択できるようにすることである。例えば、ユーザ機器がセルレンジ拡張（ＣＲＥ：Cell Range Extension）領域に位置している場合、ユーザ機器は２つのＣＱＩの間で切り替えることができる。報告するＣＳＩのセットをユーザ機器が選択できるようにするときには、ユーザ機器によって選択されたＣＳＩのセットを基地局装置に通知するため（例えば、図１（ａ）および図１（ｂ）に図解した異種配備において、報告されるＣＳＩの値を計算するうえでユーザ機器が使用した想定を基地局装置に通知するため）、さらに追加の送信方式想定インジケータ（ＴＳＡＩ：Transmission Scheme Assumption Indicator）を報告する必要がある。さらには、セルラーシステムでは干渉条件が動的に変化することを考慮すると、基地局装置における好ましい下りリンク（ＤＬ）送信方式も動的に変化しうる。したがって、ＴＳＡＩを動的に報告することが好ましく、すなわち、図３に示したように、ＴＳＡＩを例えばＰＭＩ／ＣＱＩと一緒に同じフレーム内で報告するべきである。
【０００４】
図３は、ＣＳＩの報告として、ＴＳＡＩを一緒に報告し、ＲＩを単独で報告する状況を概略的に示している。図３において、長期ＣＳＩ要素であるＲＩは、例えば２００のサブフレーム毎に報告され、短期ＣＳＩ要素であるＰＭＩ／ＣＱＩおよびＴＳＡＩ（これらは同じサブフレーム内で符号化される）は、例えば５つのサブフレーム毎に報告される。図２では、ＰＭＩ／ＣＱＩの両方のセットがそれぞれ５つのサブフレーム毎に報告され、言い換えれば、図２には２系統の周期的報告が存在しているが、図３ではこれとは異なり、１系統のみのＰＭＩ／ＣＱＩが報告され、ユーザ機器は、ＰＭＩ／ＣＱＩのどちらのセットを報告するかを毎回決定し、その時点でＰＭＩ／ＣＱＩのどちらのセットが選択されているかを示すため、ＴＳＡＩがＰＭＩ／ＣＱＩと一緒に報告される。図３に例示的に示したように、ＲＩ（この例ではＲＩ１）の報告の直後に、第１のＴＳＡＩと一緒のＰＭＩ／ＣＱＩの第１のセット（斜線が引かれたＰＭＩ１／ＣＱＩ１／ＴＳＡＩ）が選択されて報告され、４つのサブフレームの後、もう一度ＰＭＩ／ＣＱＩおよび第１のＴＳＡＩの第１のセットが選択されて報告され、さらに４つのサブフレームの後、ＰＭＩ／ＣＱＩおよび第２のＴＳＡＩの第２のセット（ドットが描かれたＰＭＩ２／ＣＱＩ２／ＴＳＡＩ）が選択されて報告される。ただし、毎回報告されるＰＭＩ／ＣＱＩとしてどのセットを選択するかは、上述した順序に限定されない。ユーザ機器は、干渉条件に従って、短期ＣＳＩ要素の複数の可能なセットのうちの任意のセットを毎回選択して報告することができ、どのセットが選択されたかをＴＳＡＩを使用して基地局装置に通知する。
【０００５】
図３においては、ＰＭＩ／ＣＱＩの複数の異なるセットに同じＲＩが適用されるため、１つのＲＩ（この例ではＲＩ１）のみが報告される。しかしながら、異なるＴＳＡＩに対して、ＲＩの最適値が異なることがある。したがって、ＰＭＩ／ＣＱＩの複数の異なるセットに同じＲＩが適用される場合、ＲＩの最適値を報告することができず、状況によっては、このような制限に起因してパフォーマンスが大きく低下することがある。この問題を解決する目的で、単純な解決策は、図４に示したように、ＲＩを動的に（すなわちＰＭＩ／ＣＱＩと同じ頻度で）、ただし異なるサブフレーム内で報告することである。図４は、ＴＳＡＩと同じ周期でＲＩを報告する状況を概略的に示している。図３の方策と異なる点として、図４では、短期ＣＳＩ要素であるＰＭＩ／ＣＱＩが報告されるたびに長期ＣＳＩ要素であるＲＩが報告される。この場合、ＲＩの最適値を報告することができる。しかしながら、このような解決策では、ＲＩが短期ＣＳＩ要素と同じ頻度で報告されるため、オーバーヘッドが大幅に増大し、多くの上りリンクサブフレームが占有され、さらには衝突の可能性も高まる。
【先行技術文献】
【非特許文献】
【０００６】
【非特許文献１】ＴＳ  ３６．２１３  Ｖ１０．５．０
【発明の概要】
【発明が解決しようとする課題】
【０００７】
本開示は、上記に鑑み、なされたものである。長期ＣＳＩ要素の最適な選択を可能にする一方で、ＣＳＩを１回報告する場合と比較してオーバーヘッドの増大を最小限に維持する目的で、長期ＣＳＩの複数回の報告を実行することができ、長期ＣＳＩ要素の値をＴＳＡＩの値に基づいて選択することができる。
【課題を解決するための手段】
【０００８】
本開示の一態様においては、チャネル状態情報（ＣＳＩ）を報告する無線通信方法であって、１つまたは複数の長期ＣＳＩ要素を基地局装置に報告するステップであって、少なくとも１つの長期ＣＳＩ要素が複数の値によって報告されるステップと、短期ＣＳＩ要素のセットと一緒に送信方式想定インジケータ（ＴＳＡＩ）を基地局装置に報告するステップであって、ＴＳＡＩが、少なくとも１つの長期ＣＳＩ要素の複数の値のうち現在使用される値と、ＴＳＡＩによって示される値によって決まる短期ＣＳＩ要素のセットとを、基地局装置に示すステップと、を含んでおり、短期ＣＳＩ要素がより高い頻度で報告される、無線通信方法、を提供する。
【０００９】
本開示の別の態様においては、チャネル状態情報（ＣＳＩ）を報告するユーザ機器（ＵＥ）であって、１つまたは複数の長期ＣＳＩ要素を基地局装置に報告するように構成されている長期ＣＳＩ報告ユニットであって、少なくとも１つの長期ＣＳＩ要素が複数の値によって報告される、長期ＣＳＩ報告ユニットと、短期ＣＳＩ要素のセットと一緒に送信方式想定インジケータ（ＴＳＡＩ）を基地局装置に報告するように構成されている短期ＣＳＩ報告ユニットであって、ＴＳＡＩが、少なくとも１つの長期ＣＳＩ要素の複数の値のうち現在使用される値と、ＴＳＡＩによって示される値によって決まる短期ＣＳＩ要素のセットとを、基地局装置に示す、短期ＣＳＩ報告ユニットと、を備えており、短期ＣＳＩ要素がより高い頻度で報告される、ユーザ機器、を提供する。
【００１０】
本開示のさらなる態様においては、チャネル状態情報（ＣＳＩ）を報告する無線通信方法であって、ランクインジケータ（ＲＩ）、プリコーディング行列インジケータ（ＰＭＩ）、およびチャネル品質インジケータ（ＣＱＩ）を含むＣＳＩ要素のセットを、送信方式想定インジケータ（ＴＳＡＩ）と一緒に基地局装置に報告するステップ、を含んでおり、ＴＳＡＩが、ＲＩおよびＴＳＡＩによって決まるＰＭＩおよびＣＱＩを基地局装置に示し、ＣＳＩ要素のセットとＴＳＡＩが１つのサブフレーム内で一緒に符号化されて報告される、無線通信方法、を提供する。
【００１１】
本開示のさらなる態様においては、チャネル状態情報（ＣＳＩ）を受信する基地局装置であって、１つまたは複数の長期ＣＳＩ要素を含んだサブフレームをユーザ機器（ＵＥ）から受信するように構成されている長期ＣＳＩ受信ユニットであって、少なくとも１つの長期ＣＳＩ要素が複数の値を有する、長期ＣＳＩ受信ユニットと、短期ＣＳＩ要素のセットおよび送信方式想定インジケータ（ＴＳＡＩ）を含んだサブフレームをユーザ機器から受信するように構成されている短期ＣＳＩ受信ユニットであって、ＴＳＡＩが、少なくとも１つの長期ＣＳＩ要素の複数の値のうち現在使用される値と、ＴＳＡＩによって示される値によって決まる短期ＣＳＩ要素のセットとを示す、短期ＣＳＩ受信ユニットと、を備えている、基地局装置、を提供する。
【００１２】
本開示のさらなる態様においては、チャネル状態情報（ＣＳＩ）を報告する無線通信方法であって、ランクインジケータ（ＲＩ）、プリコーディング行列インジケータ（ＰＭＩ）、およびチャネル品質インジケータ（ＣＱＩ）を含むＣＳＩ要素のセットを、送信方式想定インジケータ（ＴＳＡＩ）と一緒に基地局装置に報告するステップ、を含んでおり、ＴＳＡＩが、ＲＩおよびＴＳＡＩによって決まるＰＭＩおよびＣＱＩを基地局装置に示し、ＣＳＩ要素のセットとＴＳＡＩが１つのサブフレーム内で一緒に符号化されて報告される、無線通信方法、を提供する。
【００１３】
本開示のさらなる態様においては、チャネル状態情報（ＣＳＩ）を報告するユーザ機器（ＵＥ）であって、ランクインジケータ（ＲＩ）、プリコーディング行列インジケータ（ＰＭＩ）、およびチャネル品質インジケータ（ＣＱＩ）を含むＣＳＩ要素のセットを、送信方式想定インジケータ（ＴＳＡＩ）と一緒に基地局装置に報告するように構成されている報告ユニット、を備えており、ＴＳＡＩが、ＲＩおよびＴＳＡＩによって決まるＰＭＩおよびＣＱＩを基地局装置に示し、ＣＳＩ要素のセットとＴＳＡＩが１つのサブフレーム内で一緒に符号化されて報告される、ユーザ機器、を提供する。
【００１４】
本開示のさらなる態様においては、チャネル状態情報（ＣＳＩ）を受信する無線通信方法であって、ＣＳＩ要素のセットおよび送信方式想定インジケータ（ＴＳＡＩ）を含んだサブフレームをユーザ機器（ＵＥ）から受信するステップ、を含んでおり、ＣＳＩ要素のセットが、ランクインジケータ（ＲＩ）、プリコーディング行列インジケータ（ＰＭＩ）、およびチャネル品質インジケータ（ＣＱＩ）を含んでおり、ＴＳＡＩが、ＲＩおよびＴＳＡＩによって決まるＰＭＩおよびＣＱＩを示し、ＣＳＩ要素のセットとＴＳＡＩが１つのサブフレーム内で一緒に符号化されて報告される、無線通信方法、を提供する。
【００１５】
本開示のさらなる態様においては、チャネル状態情報（ＣＳＩ）を受信する基地局装置であって、ＣＳＩ要素のセットおよび送信方式想定インジケータ（ＴＳＡＩ）を含んだサブフレームをユーザ機器（ＵＥ）から受信するように構成されている受信ユニット、を備えており、ＣＳＩ要素のセットが、ランクインジケータ（ＲＩ）、プリコーディング行列インジケータ（ＰＭＩ）、およびチャネル品質インジケータ（ＣＱＩ）を含んでおり、ＴＳＡＩが、ＲＩおよびＴＳＡＩによって決まるＰＭＩおよびＣＱＩを示し、ＣＳＩ要素のセットとＴＳＡＩが１つのサブフレーム内で一緒に符号化されて報告される、基地局装置、を提供する。
【００１６】
上記の構成によって、長期ＣＳＩ要素の最適な選択が可能となる一方で、ＣＳＩを１回報告する場合と比較してオーバーヘッドの増大が最小限に維持される。
【００１７】
上記は本開示の要約であり、したがって当然ながら、細部の単純化、一般化、および省略が含まれている。したがって、当業者には、上記の要約が説明を目的としているにすぎず、本開示を多少なりとも制限することを意図していないことが理解されるであろう。本明細書に説明されている装置、プロセス、その他の主題の別の態様、特徴、および利点は、本明細書に記載されている教示内容から明らかになるであろう。上記の要約は、本開示の発想のうち重要な部分を簡略的に紹介することを目的としており、本開示の発想については、発明を実施するための形態のセクションでさらに説明する。上記の要約は、特許請求の範囲に記載された主題の重要な特徴または本質的な特徴を特定することを目的とするものではなく、特許請求の範囲に記載された主題の範囲を判断する目的で使用されるものでもない。
【００１８】
本開示の上記およびその他の特徴は、以下の説明および添付の特許請求の範囲を添付の図面を参照しながら検討することによって、さらに完全に明らかになるであろう。これらの図面は、本開示によるいくつかの実施形態のみを描いており、したがって本開示の範囲を制限するものとはみなされないことを理解されたい。以下では、添付の図面を使用しながら、本開示についてさらに具体的かつ詳細に説明する。
【図面の簡単な説明】
【００１９】
【図１（ａ）】異種配備においてＣＱＩを計算するうえでの２つの想定を概略的に示す図
【図１（ｂ）】異種配備においてＣＱＩを計算するうえでの２つの想定を概略的に示す図
【図２】複数のＣＳＩを報告する従来の方法を概略的に示す図
【図３】ＣＳＩの報告として、ＴＳＡＩを一緒に報告し、ＲＩを単独で報告する状況を概略的に示す図
【図４】ＴＳＡＩと同じ周期でＲＩを報告する状況を概略的に示す図
【図５】第１の実施形態による、複数の長期ＣＳＩを報告する状況を概略的に示す図
【図６】第１の実施形態による、ユーザ機器から基地局装置にＣＳＩを報告する方法の流れを示す図
【図７】第１の実施形態によるユーザ機器を示したブロック図
【図８】第１の実施形態による基地局装置を示したブロック図
【図９】ペイロードサイズの曖昧性を解決するためのゼロパディングを概略的に示す図
【図１０】ゼロパディングを使用するときにＴＳＡＩが良好に保護されるように、最初のビットを使用してＴＳＡＩを報告する状況を概略的に示す図
【図１１】複数のＲＩが１つのサブフレームにおいて報告される状況を概略的に示す図
【図１２】ＲＩに基づいてＴＳＡＩをグループ分けする状況を概略的に示す図
【図１３】ＲＩに加えてＰＩを報告する状況を概略的に示す図
【図１４】第２の実施形態による、複数のＲＩ／ＰＴＩおよび複数のＷ１を含む長期ＣＳＩを報告する状況を概略的に示す図
【図１５】第２の実施形態のバリエーションによる、１つのＲＩ／ＰＴＩおよび複数のＷ１を含む長期ＣＳＩを報告する状況を概略的に示す図
【図１６】第３の実施形態による、ＲＩ／Ｗ１の組合せを複数報告する状況を概略的に示す図
【図１７】第３の実施形態のバリエーションによる、複数のＲＩおよびＷ１を個別に報告する状況を概略的に示す図
【図１８】第３の実施形態の別のバリエーションによる、複数のＷ１および１つのＲＩを個別に報告する状況を概略的に示す図
【図１９】第４の実施形態による、ＲＩをＰＭＩ、ＣＱＩ、およびＴＳＡＩと一緒に符号化して報告する状況を概略的に示す図
【発明を実施するための形態】
【００２０】
以下の詳細な説明においては、添付の図面を参照し、これらの図面は本明細書の一部を形成している。図面においては、特に明記しない限り、一般には類似する記号は類似する要素を表している。なお、本開示の態様は、さまざまな異なる構造・構成に配置する、置き換える、組み合わせる、設計することができ、そのような態様すべては明示的に意図されたものであり、本開示の一部を形成することが、容易に理解されるであろう。
【００２１】
図２〜図４に関連して上述した解決策の欠点を解決する目的で、さらなる分析に基づいて理解されるように、ＴＳＡＩは動的に報告する必要があり、ＲＩはＴＳＡＩに関連して変化するが、ＴＳＡＩが与えられたとき、ＲＩは依然としてゆっくり変化する。したがって、ＲＩをＴＳＡＩと同じ周期で報告する必要はない。代わりに、ＰＭＩおよびＣＱＩなどの短期ＣＳＩ要素と一緒に報告されるＴＳＡＩよりも少ない頻度で、複数のＲＩ（すなわちＲＩの複数の値）を報告することが可能であり、ＴＳＡＩは、下りリンクの送信方式想定（例えば図１（ａ）および図１（ｂ）に示したようにマクロセルがミュートされている、またはミュートされていないものと想定する）を示す（すなわち、短期ＣＳＩ要素の複数の可能なセットのうち短期ＣＳＩ要素のどのセットが選択されているかを示す）のみならず、報告されるＲＩを選択する（すなわち現在報告されている短期要素のセットにどのＲＩが関連付けられているかを決定する）。言い換えれば、ＴＳＡＩは、少なくとも１つの長期ＣＳＩ要素（この例ではＲＩ）の複数の値のうち現在使用される値と、ＴＳＡＩによって示される値によって決まる短期ＣＳＩ要素のセットとを、基地局装置に示す。このようにすることで、最適なＲＩを報告できるのみならず、オーバーヘッドの増大を最小限にすることができる。
【００２２】
なお、本明細書において、「短期」と「長期」の意味は相対的なものであり、「長期」ＣＳＩ要素はより少ない頻度で報告することができ、「短期」ＣＳＩ要素はより高い頻度で報告することができる。上記の分析は、短期ＣＳＩ要素がＰＭＩおよびＣＱＩであり、長期ＣＳＩ要素がＲＩであるものと想定することによって行われているが、本開示の範囲および概念はこの想定に限定されない。長期ＣＳＩ要素は、より少ない頻度で報告することのできる任意のＣＳＩ要素とすることができ、長期ＣＳＩ要素以外の任意の他のＣＳＩ要素を短期ＣＳＩ要素と称することができる。
【００２３】
（第１の実施形態）
図５は、第１の実施形態による、複数の長期ＣＳＩを報告する状況を概略的に示している。この第１の実施形態では、複数の異なる送信方式を想定する複数のＲＩを報告する。この例では、長期ＣＳＩ要素がＲＩであり、短期ＣＳＩ要素がＰＭＩおよびＣＱＩである。図５に例示的に示したように、ＲＩの２つの値（ＲＩ１およびＲＩ２）がそれぞれ１つのサブフレームにおいて最初に報告され、次に、ＰＭＩおよびＣＱＩならびにＴＳＡＩの各セットが５つのサブフレーム毎に報告される。図５には示していないが、当業者には明らかであるように、多数のサブフレームの後にＲＩを再び報告することができる。ＲＩは、例えば２００のサブフレーム毎に周期的に報告することができる。ＰＭＩ／ＣＱＩ／ＴＳＡＩも、図５に示したように例えば５つのサブフレーム毎に周期的に報告することができる。図５の例においては、ＲＩは、１回の周期において２つの値（ＲＩ１およびＲＩ２）が報告される。この場合、ＰＭＩ、ＣＱＩ、およびＴＳＡＩの各セットは１つのサブフレーム内に符号化することができる。短期ＣＳＩ要素（ＰＭＩ／ＣＱＩ）を報告する各時点において、ＰＭＩ／ＣＱＩの複数の可能なセット（この例ではＰＭＩ１／ＣＱＩ１またはＰＭＩ２／ＣＱＩ２）のうち、ＰＭＩ／ＣＱＩのどのセットを報告するかは、ユーザ機器自身が決定する。ＰＭＩ／ＣＱＩの複数の可能なセットは、例えば、図１（ａ）および図１（ｂ）に関連して上述したように、それぞれ異なる送信方式想定に基づいて計算することができる。図５においては、ユーザ機器は、ＲＩを報告した直後にＰＭＩ／ＣＱＩの第１のセット（ＰＭＩ１／ＣＱＩ１）を選択して報告し、次いで、４つのサブフレームの後に第１のセットをもう一度選択して報告し、その後、ＰＭＩ／ＣＱＩの第２のセット（ＰＭＩ２／ＣＱＩ２）を選択して報告する。なお上記の選択は単なる例であり、ユーザ機器は必要に応じて任意の選択を行うことができる。さらに、ユーザ機器は、想定を示すため（すなわち報告の各時点においてＰＭＩ／ＣＱＩのどのセットが選択されているかを基地局装置に通知するため）、ＰＭＩ／ＣＱＩと一緒にＴＳＡＩを１つのサブフレーム内で報告する。さらに、ＴＳＡＩは、ＲＩ１およびＲＩ２のうちどちらのＲＩが現在のＰＭＩ／ＣＱＩ報告に関連付けられているかを基地局装置に示す。言い換えれば、ＴＳＡＩは、少なくとも１つの長期ＣＳＩ要素（この例ではＲＩ）の複数の値のうち現在使用される値と、ＴＳＡＩによって示される値によって決まる短期ＣＳＩ要素のセットとを、基地局装置に示す。例えば、ＴＳＡＩが０に等しいとき、そのことは、第１のセットであるＰＭＩ１／ＣＱＩ１が選択されており、現在報告されているセット（ＰＭＩ１／ＣＱＩ１）にＲＩ１が関連付けられていることを示す。すなわち、ＲＩ１が現在使用されており、ＴＳＡＩによって示されるＲＩ１によって第１のセットであるＰＭＩ１／ＣＱＩ１が決まることを示す。ＴＳＡＩが１に等しいとき、そのことは、第２のセットであるＰＭＩ２／ＣＱＩ２が選択されており、現在報告されているセット（ＰＭＩ２／ＣＱＩ２）にＲＩ２が関連付けられていることを示す。すなわち、ＲＩ２が現在使用されており、ＴＳＡＩによって示されるＲＩ２によって第２のセットであるＰＭＩ２／ＣＱＩ２が決まることを示す。したがって、基地局装置は、ＴＳＡＩを受信して復号したとき、現在報告されているＰＭＩ／ＣＱＩにどちらの想定（例えば、図１（ａ）および図１（ｂ）に示したように異種配備の例においてマクロセルがミュートされていないという想定、またはマクロセルがミュートされているという想定）が使用されているかを認識し、言い換えれば、基地局装置は、短期ＣＳＩ要素の複数の可能なセットのうち、短期ＣＳＩ要素のどのセットが選択されているかを認識し、さらに、基地局装置は、現在報告されているＰＭＩ／ＣＱＩに関連付けられるＲＩとしてどのＲＩが選択されているかを認識し、言い換えれば、基地局装置は、報告された長期ＣＳＩ要素の複数の値のうちどの値が、現在報告される短期ＣＳＩ要素のセットに関連付けられているかを認識する。結果として、基地局装置は、ユーザ機器によって報告されるＣＳＩ情報を取得する。この第１の実施形態の構成によって、長期ＣＳＩ要素（この例ではＲＩ）の最適な選択が可能になる一方で、ＲＩは短期ＣＳＩ要素よりも少ない頻度で報告されるため、オーバーヘッドの増大が最小限に維持される。ただし、報告されるＲＩの数は、この実施形態では２つであるが、これに限定されず、必要に応じて任意の数とすることができる。さらには、当業者には理解されるように、長期ＣＳＩ要素の報告の１周期の間の短期ＣＳＩ要素の報告回数は、図５に示した３よりずっと大きくすることができる。
【００２４】
図６は、ＣＳＩを報告する方法の流れ図を示しており、本方法は、１つまたは複数の長期ＣＳＩ要素（この実施形態ではＲＩ）を基地局装置に報告するステップ（６０１）であって、少なくとも１つの長期ＣＳＩ要素（この実施形態ではＲＩ）が複数の値（この実施形態ではＲＩ１およびＲＩ２）によって報告されるステップと、短期ＣＳＩ要素のセット（この実施形態ではＰＭＩ／ＣＱＩ）と一緒に送信方式想定インジケータ（ＴＳＡＩ）を基地局装置に報告するステップ（６０２）であって、ＴＳＡＩが、少なくとも１つの長期ＣＳＩ要素の複数の値のうち現在使用される値と、ＴＳＡＩによって示される値によって決まる短期ＣＳＩ要素のセットとを、基地局装置に示し、短期ＣＳＩ要素がより高い頻度で報告されるステップと、を含んでいる。
【００２５】
図７は、本開示の第１の実施形態によるユーザ機器７００を示したブロック図である。ユーザ機器７００は、ステップ６０１において上述したように長期ＣＳＩ要素を報告するように構成されている長期ＣＳＩ報告ユニット７０１と、ステップ６０２において上述したように短期ＣＳＩ要素を報告するように構成されている短期ＣＳＩ報告ユニット７０２とを含んでいる。具体的には、長期ＣＳＩ報告ユニットは、１つまたは複数の長期ＣＳＩ要素（この実施形態ではＲＩ）を基地局装置に報告するように構成されており、少なくとも１つの長期ＣＳＩ要素（この実施形態ではＲＩ）が複数の値（この実施形態ではＲＩ１およびＲＩ２）によって報告され、短期ＣＳＩ報告ユニットは、短期ＣＳＩ要素のセット（この実施形態ではＰＭＩ／ＣＱＩ）と一緒に送信方式想定インジケータ（ＴＳＡＩ）を基地局装置に報告するように構成されており、ＴＳＡＩが、少なくとも１つの長期ＣＳＩ要素の複数の値のうち現在使用される値と、ＴＳＡＩによって示される値によって決まる短期ＣＳＩ要素のセットとを、基地局装置に示す。短期ＣＳＩ要素をより高い頻度で報告することができる。
【００２６】
本開示によるユーザ機器７００は、関連するプログラムを実行してさまざまなデータを処理し、ユーザ機器７００の各ユニットの動作を制御するＣＰＵ（中央処理装置）７１０と、ＣＰＵ７１０がさまざまなプロセスおよび制御を実行するうえで要求されるさまざまなプログラムを格納するＲＯＭ（読み出し専用メモリ）７１３と、プロセスおよび制御の手順の中でＣＰＵ  ７１０によって一時的に生成される中間データを格納するＲＡＭ（ランダムアクセスメモリ）７１５と、さまざまなプログラムやデータなどを格納する記憶装置７１７、のうちの１つまたは複数、をさらに含んでいることができる。上記の長期ＣＳＩ報告ユニット７０１、短期ＣＳＩ報告ユニット７０２、ＣＰＵ７１０、ＲＯＭ７１３、ＲＡＭ７１５、記憶装置７１７などのうちの１つまたは複数は、データバス７２０もしくはコマンドバス７２０またはその両方を介して相互に接続することができ、互いの間で信号を伝送することができる。
【００２７】
上に記載した各ユニットは、本開示の範囲を制限するものではない。本開示の一実施形態によると、上記の長期ＣＳＩ報告ユニット７０１および短期ＣＳＩ報告ユニット７０２の機能を、報告ユニットなど単一のユニットによって実施することもでき、上記の長期ＣＳＩ報告ユニット７０１および短期ＣＳＩ報告ユニット７０２のいずれかの機能または両方を組み合わせた機能を、上記のＣＰＵ７１０、ＲＯＭ７１３、ＲＡＭ７１５、記憶装置７１７などの１つまたは複数と組み合わせて、機能ソフトウェアによって実施することもできる。
【００２８】
したがって、基地局装置側において、第１の実施形態は、基地局装置８００によって実行される方法として実施することができ、本方法は、１つまたは複数の長期ＣＳＩ要素（この実施形態ではＲＩ）を含んだサブフレームをユーザ機器（ＵＥ）から受信するステップであって、少なくとも１つの長期ＣＳＩ要素が複数の値（この実施形態ではＲＩ１およびＲＩ２）を有するステップと、短期ＣＳＩ要素のセット（この実施形態ではＰＭＩ／ＣＱＩ）および送信方式想定インジケータ（ＴＳＡＩ）を含んだサブフレームをユーザ機器から受信するステップであって、ＴＳＡＩが、少なくとも１つの長期ＣＳＩ要素の複数の値のうち現在使用される値と、ＴＳＡＩによって示される値によって決まる短期ＣＳＩ要素のセットとを示すステップと、を含んでいる。
【００２９】
図８は、本開示の第１の実施形態による基地局装置８００を示したブロック図である。基地局装置８００は、前の段落で説明したように長期ＣＳＩ要素を受信するように構成されている長期ＣＳＩ受信ユニット８０１と、短期ＣＳＩ要素を受信するように構成されている短期ＣＳＩ受信ユニット８０２とを含んでいる。具体的には、長期ＣＳＩ受信ユニットは、１つまたは複数の長期ＣＳＩ要素（この実施形態ではＲＩ）を含んだサブフレームをユーザ機器（ＵＥ）から受信するように構成されており、少なくとも１つの長期ＣＳＩ要素が複数の値（この実施形態ではＲＩ１およびＲＩ２）を有し、短期ＣＳＩ受信ユニットは、短期ＣＳＩ要素のセット（この実施形態ではＰＭＩ／ＣＱＩ）および送信方式想定インジケータ（ＴＳＡＩ）を含んだサブフレームをユーザ機器から受信するように構成されており、ＴＳＡＩが、少なくとも１つの長期ＣＳＩ要素の複数の値のうち現在使用される値と、ＴＳＡＩによって示される値によって決まる短期ＣＳＩ要素のセットとを示す。
【００３０】
本開示による基地局装置８００は、関連するプログラムを実行してさまざまなデータを処理し、基地局装置８００の各ユニットの動作を制御するＣＰＵ（中央処理装置）８１０と、ＣＰＵ８１０がさまざまなプロセスおよび制御を実行するうえで要求されるさまざまなプログラムを格納するＲＯＭ（読み出し専用メモリ）８１３と、プロセスおよび制御の手順の中でＣＰＵ８１０によって一時的に生成される中間データを格納するＲＡＭ（ランダムアクセスメモリ）８１５と、さまざまなプログラムやデータなどを格納する記憶装置８１７、のうちの１つまたは複数、をさらに含んでいることができる。上記の長期ＣＳＩ受信ユニット８０１、短期ＣＳＩ受信ユニット８０２、ＣＰＵ８１０、ＲＯＭ８１３、ＲＡＭ８１５、記憶装置８１７などのうちの１つまたは複数は、データバス８２０もしくはコマンドバス８２０またはその両方を介して相互に接続することができ、互いの間で信号を伝送することができる。
【００３１】
上に記載した各ユニットは、本開示の範囲を制限するものではない。本開示の一実施形態によると、上記の長期ＣＳＩ受信ユニット８０１および短期ＣＳＩ受信ユニット８０２の機能を、受信ユニットなど単一のユニットによって実施することもでき、上記の長期ＣＳＩ受信ユニット８０１および短期ＣＳＩ受信ユニット８０２のいずれかの機能または両方を組み合わせた機能を、上記のＣＰＵ８１０、ＲＯＭ８１３、ＲＡＭ８１５、記憶装置８１７などの１つまたは複数と組み合わせて、機能ソフトウェアによって実施することもできる。
【００３２】
さらには、ロングタームエボリューション／ロングタームエボリューション・アドバンスト（ＬＴＥ／ＬＴＥ−Ａ）においては、ＲＩの値に関連してＰＭＩ／ＣＱＩのペイロードサイズが変化する。例えば、ＲＩ＝１の場合、ＰＭＩ／ＣＱＩのペイロードサイズは８ビットであるが、ＲＩ＝２の場合、ＰＭＩ／ＣＱＩのペイロードサイズは１１ビットである。したがって、上述した第１の実施形態においては、ＰＭＩ／ＣＱＩ／ＴＳＡＩのサブフレームを復号する前にはＲＩは求められず、ＰＭＩ／ＣＱＩ／ＴＳＡＩを復号するためにはＲＩが必要であるため、ＰＭＩ／ＣＱＩ報告のペイロードサイズが基地局には未知である。このペイロードサイズの曖昧性を解決するための１つのオプションは、ＰＭＩ／ＣＱＩの報告をブラインド復号する（blindly decode）ことである。例えば、２つのＲＩの場合、これら２つのＲＩに対応する２つのペイロードサイズをそれぞれ想定して、ＰＭＩ／ＣＱＩの報告を復号し、可能性の高い方の復号の結果をＰＭＩ／ＣＱＩの値とみなす。しかしながら、このオプションの懸念として、復号の複雑さおよび信頼性が挙げられる。もう１つのオプションは、ゼロパディングを使用することである。図９は、ペイロードサイズの曖昧性を解決するためのゼロパディングを概略的に示している。ゼロパディング法においては、最も高いランクのペイロードサイズがすべてのランクに使用され、低いランクの場合の残りのビットにゼロがパディングされる。図９に例示的に示したように、ＴＳＡＩ＝０がＲＩ＝１を示すものと想定し、ＴＳＡＩ＝１がＲＩ＝２を示すものと想定し、ＲＩ＝１およびＲＩ＝２のいずれの場合もＰＭＩ／ＣＱＩに使用されるペイロードサイズは１１ビットとして選択される。これはＲＩ＝２の実際のペイロードサイズに対応する。１１ビットの割当てについては、ＲＩ＝２の場合、ＰＭＩに４ビットが使用され、ＣＱＩ１に４ビットが使用され、ＣＱＩ２に残りの３ビットが使用されるのに対して、ＲＩ＝１の場合、ＰＭＩに４ビットが使用され、ＣＱＩに４ビットが使用され、残りの３ビットがゼロでパディングされる。したがって、復号側において、ＰＭＩ／ＣＱＩ／ＴＳＡＩのペイロードサイズが固定されており基地局装置に既知であり、したがって、ブラインド復号することなくＰＭＩ／ＣＱＩ／ＴＳＡＩのサブフレームを復号することができる。
【００３３】
図９に示した例においては、ＴＳＡＩはＰＭＩ／ＣＱＩ／ＴＳＡＩの組合せの最後のビットで報告される。しかしながら、復号プロセスにおいては、ＴＳＡＩを最初に復号し、それを使用してＲＩおよびＰＭＩ／ＣＱＩを求める必要がある。したがって、ＴＳＡＩはより重要である。ＬＴＥ／ＬＴＥ−Ａでは、ＰＭＩ／ＣＱＩの符号化においてリード・マラー符号が使用され、この符号においては最初のビットが他のビットよりも良好に保護される。したがって、ＰＭＩ／ＣＱＩ／ＴＳＡＩの報告のバリエーションとして、最初のビットを使用してＴＳＡＩを報告する。図１０は、ゼロパディングを使用するときにＴＳＡＩが良好に保護されるように、最初のビットを使用してＴＳＡＩを報告する状況を概略的に示している。なお、上の例ではＴＳＡＩに１ビットが使用されているが、必要に応じてＴＳＡＩに任意の数のビットを使用することができる。ＴＳＡＩに２ビット以上が使用されるとき、これらのビットはＰＭＩ／ＣＱＩ／ＴＳＡＩの組合せの最初の一連のビットまたは最後の一連のビットとして配置することができる。
【００３４】
上の例では、ＲＩの複数の値が個別のサブフレームにおいて報告されているが、これらのＲＩを１つのサブフレームにおいて報告することもできる。図１１は、複数のＲＩが１つのサブフレームにおいて報告される状況を概略的に示している。図１１では、ＲＩの２つの値（ＲＩ１およびＲＩ２）が１つのサブフレーム内で一緒に符号化されて報告される。当業者には明らかであるように、ＲＩの値の数は２つに制限されず、必要に応じて任意の数とすることができる。結果として、ＲＩを報告するための１つまたは複数のサブフレームを減らすことができ、フレームのフォーマットを、ＣＳＩを１回報告する場合に類似するように維持することができる。
【００３５】
さらに、可能な送信方式の数が可能なＲＩの数よりも多い場合、ＲＩの値に基づいてＴＳＡＩをグループ分けすることが可能である。言い換えれば、ＴＳＡＩのとりうる値の数が、報告されるＲＩの値の数よりも大きいとき、ＲＩの１つの値にＴＳＡＩの複数の値を対応させることができる。図１２は、ＲＩに基づいてＴＳＡＩをグループ分けする状況を概略的に示している。図１２に例示的に示したように、ＴＳＡＩのとりうる値は３つある（ＴＳＡＩ１、ＴＳＡＩ２、およびＴＳＡＩ３）のに対して、報告されるＲＩの値は２つのみである（ＲＩ１およびＲＩ２）。この場合、例えば、ＴＳＡＩの２つの値（ＴＳＡＩ１およびＴＳＡＩ２）がＲＩ１に対応し、ＴＳＡＩのそれ以外の値（ＴＳＡＩ３）がＲＩ２に対応するものと想定することができる。グループ分けは基地局装置に報告することができる。これにより、必要なＲＩ報告の数を減らすことが可能である。なお、この解決策は、ＣＳＩ要素の任意の他の構成にも適用されることに留意されたい。
【００３６】
この実施形態のバリエーションにおいては、ＲＩに加えて、別の長期ＣＳＩ要素としてポイントインジケータ（ＰＩ）も報告することができる。ＰＩは、ＰＤＳＣＨを送信するものと想定されている基地局装置を示す。例えば、図１（ａ）および図１（ｂ）において、ＰＩ＝１ならば、報告されるＣＳＩにおいては、基地局装置１０２がＰＤＳＣＨをユーザ機器１０３に送信するものと想定する。ＰＩ＝０ならば、報告されるＣＳＩにおいては、基地局装置１０１がＰＤＳＣＨをユーザ機器１０３に送信するものと想定する。図１３は、ＲＩに加えてＰＩを報告する状況を概略的に示している。図１３に例示的に示したように、いくつかのＲＩの報告の前に１つのＰＩが報告される。すなわち、同じＰＩが複数の異なるＲＩおよびＴＳＡＩに適用される。このことは、これらのＲＩおよびＴＳＡＩが同じ基地局装置からのＰＤＳＣＨに対応することを意味し、ただし干渉に関する想定は複数の異なるＲＩおよびＴＳＡＩにおいて異なることがある（例えば、隣の基地局装置がミュートされているか否か）。したがって、図５の方式と図１３の方式との間の唯一の違いは、ＲＩ報告のいくつかの周期に対して１つの追加のＰＩが報告されることである。この場合、複数の異なるＲＩが１つのＰＩに関連付けられる。しかしながら、ＴＳＡＩ（追加のビットを有する）を使用してＰＩを選択することも可能である。言い換えれば、ＰＩの複数の値を報告することができる。さらに、ＰＩは、ＲＩより少ない頻度で、またはＲＩに等しいかそれより多い頻度で報告することができる。
【００３７】
（第２の実施形態）
ＬＴＥ／ＬＴＥ−Ａにおいては、８Ｔｘ  ＰＵＣＣＨ（物理上りリンク制御チャネル）モード２−１の場合、長期ＣＳＩが、ＲＩのみならず、プリコーディングタイプインジケータ（ＰＴＩ）および第１のＰＭＩ（Ｗ１）も含んでいることができる。したがって、ＲＩに加えて複数のＰＴＩおよび複数のＷ１を報告することも可能であり、ＴＳＡＩを使用することで、どのＲＩ／ＰＴＩおよびどのＷ１が現在のＰＭＩ／ＣＱＩ報告に関連付けられているかを示すことができる。すなわち、現在使用されるＲＩ／ＰＴＩの値およびＷ１の値を示すことができる。図１４は、第２の実施形態による、複数のＲＩ／ＰＴＩおよび複数のＷ１を含む長期ＣＳＩを報告する状況を概略的に示している。以下では、第１の実施形態と第２の実施形態との異なる点についてのみ説明し、同じかまたは類似する構成や方法ステップについては説明を省く。具体的には、図１４に示したように、ＰＴＩ＝０のときには、ＲＩ、ＰＴＩ、およびＷ１が長期ＣＳＩ要素として報告され、ＲＩとＰＴＩは１つのサブフレーム内で一緒に符号化され、ＲＩ／ＰＴＩの組合せおよびＷ１の複数の（この例では背景の斜線およびドットによってそれぞれ示したように２つの）値が報告される。したがって、短期ＣＳＩ要素は、ワイドバンドの第２のＰＭＩ（Ｗ−Ｗ２）およびワイドバンドＣＱＩ（Ｗ−ＣＱＩ）を含んでいる。これに対して、ＰＴＩ＝１のときには、ＲＩ、ＰＴＩ、Ｗ−ＣＱＩ、およびＷ−Ｗ２が長期ＣＳＩ要素として報告され、ＲＩとＰＴＩは１つのサブフレーム内で一緒に符号化され、Ｗ−ＣＱＩとＷ−Ｗ２も１つのサブフレーム内で一緒に符号化され、ＲＩ／ＰＴＩの組合せおよびＷ−ＣＱＩ／Ｗ−Ｗ２の組合せの複数の（この例では背景の斜線およびドットによってそれぞれ示したように２つの）値が報告される。したがって、短期ＣＳＩ要素は、サブバンドの第２のＰＭＩ（Ｓ−Ｗ２）およびサブバンドＣＱＩ（Ｓ−ＣＱＩ）を含んでいる。この例においては、ペイロードサイズの曖昧性を解決するためにゼロパディングを適用することもできる。
【００３８】
第２の実施形態のバリエーションとして、複数のＣＳＩ報告に対して共通のＲＩ／ＰＴＩを適用することができる。図１５は、第２の実施形態のバリエーションによる、１つのＲＩ／ＰＴＩおよび複数のＷ１を含む長期ＣＳＩを報告する状況を概略的に示している。図１４と異なる点として、図１５では、ＲＩ／ＰＴＩがその報告の１周期の間に１つの値のみによって報告される。このバリエーションではペイロードサイズの曖昧性が発生しない。したがって、復号の複雑さに関する懸念はなく、ゼロパディングを実行する必要がない。
【００３９】
（第３の実施形態）
８Ｔｘ  ＰＵＣＣＨモード１−１のサブモード１においては、ＲＩとＷ１が同じサブフレーム内で一緒に符号化されて報告される。したがって、複数のＲＩ／Ｗ１を報告することが可能である。図１６は、第３の実施形態による、ＲＩ／Ｗ１の組合せを複数報告する状況を概略的に示している。以下では、第１の実施形態と第３の実施形態との異なる点についてのみ説明し、同じかまたは類似する構成や方法ステップについては説明を省く。第３の実施形態の詳細および影響は第１の実施形態に似ているが、異なる点として、複数のＷ１もＲＩと一緒に報告され、ＰＭＩの代わりにＷ２が短期ＣＳＩ要素の１つとして報告される。
【００４０】
バリエーションとして、ＲＩをＷ１とは個別に（すなわち個別のサブフレームにおいて）報告することもできる。図１７は、第３の実施形態のバリエーションによる、複数のＲＩおよびＷ１を個別に報告する状況を概略的に示している。図１７において、ＲＩとＷ１は、それぞれ複数の値（この例では背景の斜線およびドットによってそれぞれ示したように２つの値）によって個別のサブフレームにおいて報告され、ＴＳＡＩを使用することで、どのＲＩおよびどのＷ１が短期ＣＳＩ要素の現在報告されるセット（この例ではＷ２／ＣＱＩ）に関連付けられているかを示すことができる。すなわち、現在使用されるＲＩの値およびＷ１の値を示すことができる。図１６および図１７に示したケースでは、ペイロードサイズの曖昧性を解決するためにゼロパディングを適用することもできる。
【００４１】
別のバリエーションとして、図１８は、複数のＷ１および１つのＲＩを個別に報告する状況を概略的に示している。このバリエーションにおいては、ＲＩは、その報告の１周期の間に１つの値のみを報告することができるのに対して、Ｗ１は複数の値を報告することができる。すなわち、Ｗ２／ＣＱＩの複数の異なるセットに同じＲＩが適用され、したがってペイロードサイズの曖昧性は存在せず、復号の複雑さに関する懸念はなく、ゼロパディングを実行する必要がない。
【００４２】
（第４の実施形態）
ＴＳＡＩに関連してＲＩが変化することを考慮し、ＣＳＩを報告するための別の解決策として、ＲＩを、ＰＭＩ、ＣＱＩ、およびＴＳＡＩと一緒に１つのサブフレーム内で符号化する。図１９は、第４の実施形態による、ＲＩをＰＭＩ、ＣＱＩ、およびＴＳＡＩと一緒に符号化して報告する状況を概略的に示している。この実施形態においては、ＲＩは、もはや上の３つの実施形態のように長期ＣＳＩ要素とはみなされず、ＰＭＩ、ＣＱＩ、およびＴＳＡＩと同様に短期ＣＳＩ要素とみなされる。ＲＩが１つのサブフレーム内でＰＭＩ、ＣＱＩ、およびＴＳＡＩと一緒に報告され、ＰＭＩ／ＣＱＩのビット数がＲＩの値に依存するため、基地局装置において復号される前にこのＣＳＩ報告の帯域幅は未知である。したがって、基地局装置側では、ブラインド復号を使用してＲＩ、ＰＭＩ、ＣＱＩ、およびＴＳＡＩの値を取得することができる。
【００４３】
したがって、第４の実施形態による、ＣＳＩを報告する無線通信方法は、ユーザ機器によって実行される以下のステップ、すなわち、ランクインジケータ（ＲＩ）、プリコーディング行列インジケータ（ＰＭＩ）、およびチャネル品質インジケータ（ＣＱＩ）を含むＣＳＩ要素のセットと、送信方式想定インジケータ（ＴＳＡＩ）とを一緒に基地局装置に報告するステップ、を含んでおり、ＴＳＡＩが、ＲＩおよびＴＳＡＩによって決まるＰＭＩおよびＣＱＩを基地局装置に示し、ＣＳＩ要素のセットとＴＳＡＩとが１つのサブフレーム内で一緒に符号化されて報告される。
【００４４】
第４の実施形態によるユーザ機器の構造は、ユーザ機器７００に類似したものとすることができる。ただし異なる点として、第４の実施形態によるユーザ機器は、長期ＣＳＩ要素と短期ＣＳＩ要素とを区別しない。すなわち、長期ＣＳＩ報告ユニット７０１および短期ＣＳＩ報告ユニット７０２を含む代わりに、上述した報告ステップを実行するためのＣＳＩ報告ユニットのみを含んでいることができる。具体的には、第４の実施形態によるユーザ機器のＣＳＩ報告ユニットは、ランクインジケータ（ＲＩ）、プリコーディング行列インジケータ（ＰＭＩ）、およびチャネル品質インジケータ（ＣＱＩ）を含むＣＳＩ要素のセットと、送信方式想定インジケータ（ＴＳＡＩ）とを一緒に基地局装置に報告するように構成されており、ＴＳＡＩが、ＲＩおよびＴＳＡＩによって決まるＰＭＩおよびＣＱＩを基地局装置に示し、ＣＳＩ要素のセットとＴＳＡＩとが１つのサブフレーム内で一緒に符号化されて報告される。
【００４５】
したがって、基地局装置側においては、第４の実施形態によると、ＣＳＩを受信する無線通信方法が提供される。本方法は、ＣＳＩ要素のセットと送信方式想定インジケータ（ＴＳＡＩ）とを含んだサブフレームをユーザ機器（ＵＥ）から受信するステップであって、ＣＳＩ要素のセットが、ランクインジケータ（ＲＩ）、プリコーディング行列インジケータ（ＰＭＩ）、およびチャネル品質インジケータ（ＣＱＩ）を含むステップ、を含んでおり、ＴＳＡＩが、ＲＩおよびＴＳＡＩによって決まるＰＭＩおよびＣＱＩを示し、ＣＳＩ要素のセットとＴＳＡＩとが１つのサブフレーム内で一緒に符号化されて報告される。
【００４６】
第４の実施形態による基地局装置の構造は、基地局装置８００に類似したものとすることができ、ただし異なる点として、長期ＣＳＩ受信ユニット８０１および短期ＣＳＩ受信ユニット８０２の代わりに、上述した受信ステップを実行するために受信ユニットが使用される。具体的には、第４の実施形態による基地局装置の受信ユニットは、ＣＳＩ要素のセットと送信方式想定インジケータ（ＴＳＡＩ）とを含んだサブフレームをユーザ機器（ＵＥ）から受信するように構成されており、ＣＳＩ要素のセットが、ランクインジケータ（ＲＩ）、プリコーディング行列インジケータ（ＰＭＩ）、およびチャネル品質インジケータ（ＣＱＩ）を含んでおり、ＴＳＡＩが、ＲＩおよびＴＳＡＩによって決まるＰＭＩおよびＣＱＩを示し、ＣＳＩ要素のセットとＴＳＡＩとが１つのサブフレーム内で一緒に符号化されて報告される。
【００４７】
図１９の構成の場合、各ＴＳＡＩに対して、ＲＩの最適値を同時に報告することができる。
【００４８】
上記の詳細な説明では、装置やプロセスのさまざまな実施形態が、ブロック図、流れ図、例を使用することによって記載されている。このようなブロック図、流れ図、例に１つまたは複数の機能や動作が含まれている場合、そのようなブロック図、流れ図、例の中の各機能や各動作は、各種のハードウェア、ソフトウェア、ファームウェア、またはこれらの実質的に任意の組合せによって、個々に、またはまとめて実施できることが、当業者には理解されるであろう。１つの実施形態において、本明細書に記載されている主題のいくつかの部分を、特定用途向け集積回路（ＡＳＩＣ）、フィールドプログラマブルゲートアレイ（ＦＰＧＡ）、デジタル信号プロセッサ（ＤＳＰ）、またはその他の集積形式によって実施することができる。しかしながら、当業者に認識される点として、本明細書に開示されている実施形態のいくつかの態様は、それぞれの全体または一部を、１つまたは複数のコンピュータ上で実行される１つまたは複数のコンピュータプログラムとして（例：１つまたは複数のコンピュータシステム上で実行される１つまたは複数のプログラムとして）、あるいは、１つまたは複数のプロセッサ上で実行される１つまたは複数のプログラムとして（例：１つまたは複数のマイクロプロセッサ上で実行される１つまたは複数のプログラムとして）、あるいはファームウェアとして、あるいはこれらの実質的に任意の組合せとして、集積回路において同等に実施することができ、さらには、回路を設計することと、ソフトウェアやファームウェアのコードを書くことは、本開示の観点においては当業者の技能の範囲内である。
【００４９】
さらに、当業者に理解される点として、本明細書に記載されている主題のメカニズムは、さまざまな形式におけるプログラム製品として配布することができ、本明細書に記載されている主題の実例としての実施形態は、実際に配布を行うために使用される信号担持媒体（signal bearing medium）のタイプには無関係に適用される。信号担持媒体の例としては、以下に限定されないが、記録可能なタイプの媒体（例えば、フロッピーディスク（登録商標）、ハードディスクドライブ、コンパクトディスク（ＣＤ）、デジタルビデオディスク（ＤＶＤ）、デジタルテープ、コンピュータメモリなど）と、デジタルまたはアナログ通信媒体などの伝送型媒体（例：光ファイバケーブル、導波管、有線通信リンク、無線通信リンクなど）とが挙げられる。
【００５０】
本明細書において、用語の単数形または複数形が使用されている場合、当業者には、文脈または用途に応じて複数形を単数形として、または単数形を複数形として適切に解釈できるであろう。本明細書においては、説明を明確にする目的で、単数形と複数形とが明示的に使い分けられている。
【００５１】
本明細書には、さまざまな態様および実施形態が開示されているが、当業者には別の態様および実施形態が明らかであろう。本明細書に開示されているさまざまな態様および実施形態は、説明を目的とするものであり、本開示を制限することを意図しておらず、本開示の実際の範囲および概念は請求項によって示してある。
【図１（ａ）】
0005950143.tif 000002
【図１（ｂ）】
0005950143.tif 000003
【図２】
0005950143.tif 000004
【図３】
0005950143.tif 000005
【図４】
0005950143.tif 000006
【図５】
0005950143.tif 000007
【図６】
0005950143.tif 000008
【図７】
0005950143.tif 000009
【図８】
0005950143.tif 000010
【図９】
0005950143.tif 000011
【図１０】
0005950143.tif 000012
【図１１】
0005950143.tif 000013
【図１２】
0005950143.tif 000014
【図１３】
0005950143.tif 000015
【図１４】
0005950143.tif 000016
【図１５】
0005950143.tif 000017
【図１６】
0005950143.tif 000018
【図１７】
0005950143.tif 000019
【図１８】
0005950143.tif 000020
【図１９】
0005950143.tif 000021